(57)【要約】【課題】測定された距離のルバニ定規や丁蘭尺に対応する意味が即時に表示されることによって、好適な距離を即時に見出すことができるレーザ距離計を提供する。【解決手段】本体１０と、電源供給ユニットと、センシング方向に沿って本体外にある対象物にパルス信号を発射して、パルス信号が対象物に反射された後、パルス信号を接収する接収子１３と、センシング方向の水平傾斜角度を測定するためのものである傾斜角度センサー１４と、接収子及び傾斜角度センサーと電気的に連接しており、距離センシング信号と傾斜角度センシング信号とを接収して、接収子と対象物の間の水平距離を算出して、水平距離を変換してルバニ定規マークが得られるマイクロプロセッサーユニット１５と、マイクロプロセッサーユニットに制御されて映像及びルバニ定規マークを表示するディスプレイ１２と、少なくとも一つの操作ボタンを含む操作部１１と、を含む。【選択図】図１Ａ
0003182515.tif 000002
【実用新案登録請求の範囲】
【請求項１】
本体と、
電源供給ユニットと、
前記本体の表面に設けられ、前記電源供給ユニットと電気的に連接し、センシング方向に沿って前記本体外にある対象物にパルス信号を発射でき、前記パルス信号が前記対象物に接触して反射された後、前記パルス信号を接収して距離センシング信号を発生する接収子と、
前記本体の内部に固定され、前記センシング方向の水平傾斜角度を測定するためのものであり、傾斜角度センシング信号を発生する傾斜角度センサーと、
前記接収子及び前記傾斜角度センサーと電気的に連接しており、前記距離センシング信号と前記傾斜角度センシング信号とを接収して、前記距離センシング信号と前記傾斜角度センシング信号とによって、前記接収子と前記対象物の間の水平距離を算出して、前記水平距離を変換してルバニ定規マークが得られ、前記ルバニ定規マークは少なくとも一組のルバニ定規言葉を含むマイクロプロセッサーユニットと、
前記本体の表面に固定され、前記マイクロプロセッサーユニットと電気的に連接しており、前記マイクロプロセッサーユニットに制御されて映像及びルバニ定規マークを表示するディスプレイと、
前記本体の表面に固定され、少なくとも一つの操作ボタンを含み、前記マイクロプロセッサーユニットと電気的に連接しており、前記操作ボタンを押圧することにより前記マイクロプロセッサーユニットを制御できる操作部と、を含み、
前記距離センシング信号は、前記接収子と前記対象物の間の距離の数値に対応し、前記本体と前記対象物の間の距離の数値に対応し、
前記マイクロプロセッサーユニットは、前記距離センシング信号と前記傾斜角度センシング信号を持続に接収して、これらの前記センシング信号により前記ディスプレイの表示内容を更新し、前記接収子と前記対象物の間の水平距離に対応するルバニ定規マークを即時に表示することを特徴とするレーザ距離計。
【請求項２】
前記マイクロプロセッサーユニットは、前記距離センシング信号によって前記ディスプレイに実際距離マークを表示し、前記傾斜角度センシング信号によって前記ディスプレイに傾斜角度マークを表示することを特徴とする、請求項１に記載のレーザ距離計。
【請求項３】
前記マイクロプロセッサーユニットは、前記接収子と前記対象物の間の計算によって得られた水平距離により、前記ディスプレイに水平距離マークを表示することを特徴とする、請求項１に記載のレーザ距離計。
【請求項４】
前記ルバニ定規マークは、スケールと、インデックスと、を含み、前記スケールは、その長さ方向に沿って複数のセクションが形成され、前記インデックスは前記スケールのうちの一点にポイントし、前記インデックスと前記本体との位置が相対的に一定であることを特徴とする、請求項１に記載のレーザ距離計。
【請求項５】
前記ディスプレイはタッチスクリーンであり、これにより、ユーザは前記ディスプレイにより直接に操作でき、且つルバニ定規マークの関連データが表示されることを特徴とする、請求項１乃至４のいずれか１項に記載のレーザ距離計。
【請求項６】
本体と、
電源供給ユニットと、
前記本体の表面に設けられ、前記電源供給ユニットと電気的に連接し、センシング方向に沿って前記本体外にある対象物にパルス信号を発射でき、前記パルス信号が前記対象物に接触して反射された後、前記パルス信号を接収して距離センシング信号を発生する接収子と、
前記本体の内部に固定され、前記センシング方向の水平傾斜角度を測定するためのものであり、傾斜角度センシング信号を発生する傾斜角度センサーと、
前記接収子及び前記傾斜角度センサーと電気的に連接しており、前記距離センシング信号と前記傾斜角度センシング信号とを接収して、前記距離センシング信号と前記傾斜角度センシング信号とによって、前記接収子と前記対象物の間の水平距離を算出して、前記水平距離を変換して丁蘭尺マークが得られ、前記丁蘭尺マークは少なくとも一組の丁蘭尺言葉を含むマイクロプロセッサーユニットと、
前記本体の表面に固定され、前記マイクロプロセッサーユニットと電気的に連接しており、前記マイクロプロセッサーユニットに制御されて映像及び丁蘭尺マークを表示するディスプレイと、
前記本体の表面に固定され、少なくとも一つの操作ボタンを含み、前記マイクロプロセッサーユニットと電気的に連接しており、前記操作ボタンを押圧することにより前記マイクロプロセッサーユニットを制御できる操作部と、
を含み、
前記距離センシング信号は、前記接収子と前記対象物の間の距離の数値に対応し、前記本体と前記対象物の間の距離の数値に対応し、
前記マイクロプロセッサーユニットは、前記距離センシング信号と前記傾斜角度センシング信号を持続に接収して、これらの前記センシング信号により前記ディスプレイの表示内容を更新し、前記接収子と前記対象物の間の水平距離に対応するルバニ定規マークを即時に表示することを特徴とするレーザ距離計。
【請求項７】
前記マイクロプロセッサーユニットは、前記距離センシング信号によって前記ディスプレイに実際距離マークを表示し、前記傾斜角度センシング信号によって前記ディスプレイに傾斜角度マークを表示することを特徴とする、請求項６に記載のレーザ距離計。
【請求項８】
前記マイクロプロセッサーユニットは、前記接収子と前記対象物の間の計算によって得られた水平距離により、前記ディスプレイに水平距離マークを表示することを特徴とする、請求項６に記載のレーザ距離計。
【請求項９】
前記ルバニ定規マークは、スケールと、インデックスと、を含み、前記スケールは、その長さ方向に沿って複数のセクションが形成され、前記インデックスは前記スケールのうちの一点にポイントし、前記インデックスと前記本体との位置が相対的に一定であり、前記ディスプレイはタッチスクリーンであり、これにより、ユーザは前記ディスプレイにより直接に操作でき、且つ丁蘭尺マークの関連データが表示されることを特徴とする、請求項６に記載のレーザ距離計。
【考案の詳細な説明】
【技術分野】
【０００１】
本考案は、距離を測定できる装置であり、且つ測定されたデータがルバニ定規に変換されて表示するレーザ距離計に関し、特に、測定された傾斜角度θと距離を変換して水平距離を精確に表示できるレーザ距離計に関するものである。
【背景技術】
【０００２】
従来のレーザ距離計は、距離を測定するためのものであり、メートル法などの長さを同時に表示でき、ユーザが便利に利用できる。
【０００３】
一方、一般的な建築工事において、ユーザは巻き尺を測定工具として利用する。その主な原因は、巻き尺にルバニ定規の標識があることにある。しかし、巻き尺により距離を測定する場合には、測定された距離に誤差が発生しやすく、そして２人で協力しないと、巻き尺により長い距離を測定できないという問題があった。
【先行技術文献】
【特許文献】
【０００４】
【特許文献１】なし
【考案の概要】
【考案が解決しようとする課題】
【０００５】
本考案の主な目的は、測定された距離のルバニ定規や丁蘭尺に対応する意味を即時に表示でき、ユーザは、ディスプレイに表示される内容によって、好適な距離を即時に見出すことができるレーザ距離計を提供することにある。
【課題を解決するための手段】
【０００６】
本考案のレーザ距離計によると、本体と、電源供給ユニットと、本体の表面に設けられ、電源供給ユニットと電気的に連接し、センシング方向に沿って本体外にある対象物にパルス信号を発射でき、パルス信号が対象物に接触して反射された後、パルス信号を接収して、距離センシング信号を発生する接収子と、本体の内部に固定され、センシング方向の水平傾斜角度を測定するためのものであり、傾斜角度センシング信号を発生する傾斜角度センサーと、接収子及び傾斜角度センサーと電気的に連接しており、距離センシング信号と傾斜角度センシング信号とを接収して、距離センシング信号と傾斜角度センシング信号とによって、接収子と対象物の間の水平距離を算出して、水平距離を変換してルバニ定規マークが得られ、ルバニ定規マークは少なくとも一組のルバニ定規言葉を含むマイクロプロセッサーユニットと、本体の表面に固定され、マイクロプロセッサーユニットと電気的に連接しており、マイクロプロセッサーユニットに制御されて映像及びルバニ定規マークを表示するディスプレイと、本体の表面に固定され、少なくとも一つの操作ボタンを含み、マイクロプロセッサーユニットと電気的に連接しており、操作ボタンを押圧することによりマイクロプロセッサーユニットを制御できる操作部と、を含み、
距離センシング信号は、接収子と対象物の間の距離の数値に対応し、本体と対象物の間の距離の数値に対応し、
マイクロプロセッサーユニットは、距離センシング信号と傾斜角度センシング信号を持続に接収して、これらのセンシング信号によりディスプレイの表示内容を更新し、接収子と対象物の間の水平距離に対応するルバニ定規マークを即時に表示することを特徴とする。
【０００７】
本考案のレーザ距離計によると、マイクロプロセッサーユニットは、距離センシング信号によってディスプレイに実際距離マークを表示し、傾斜角度センシング信号によってディスプレイに傾斜角度マークを表示することを特徴とする。
【０００８】
本考案のレーザ距離計によると、マイクロプロセッサーユニットは、接収子と対象物の間の計算によって得られた水平距離により、ディスプレイに水平距離マークを表示することを特徴とする。
【０００９】
本考案のレーザ距離計によると、ルバニ定規マークは、スケールと、インデックスと、を含み、スケールは、その長さ方向に沿って複数のセクションが形成され、インデックスはスケールのうちの一点にポイントし、インデックスと本体との位置が相対的に一定であることを特徴とする。
【００１０】
本考案のレーザ距離計によると、ディスプレイはタッチスクリーンであり、これにより、ユーザはディスプレイにより直接に操作でき、且つルバニ定規マークの関連データが表示されることを特徴とする。
【００１１】
本考案のレーザ距離計によると、本体と、電源供給ユニットと、本体の表面に設けられ、電源供給ユニットと電気的に連接し、センシング方向に沿って本体外にある対象物にパルス信号を発射でき、パルス信号が対象物に接触して反射された後、パルス信号を接収して、距離センシング信号を発生する接収子と、本体の内部に固定され、センシング方向の水平傾斜角度を測定するためのものであり、傾斜角度センシング信号を発生する傾斜角度センサーと、接収子及び傾斜角度センサーと電気的に連接しており、距離センシング信号と傾斜角度センシング信号とを接収して、距離センシング信号と傾斜角度センシング信号とによって、接収子と対象物の間の水平距離を算出して、水平距離を変換して丁蘭尺マークが得られ、丁蘭尺マークは少なくとも一組の丁蘭尺言葉を含むマイクロプロセッサーユニットと、本体の表面に固定され、マイクロプロセッサーユニットと電気的に連接しており、マイクロプロセッサーユニットに制御されて映像及び丁蘭尺マークを表示するディスプレイと、本体の表面に固定され、少なくとも一つの操作ボタンを含み、マイクロプロセッサーユニットと電気的に連接しており、操作ボタンを押圧することによりマイクロプロセッサーユニットを制御できる操作部と、を含み、
距離センシング信号は、接収子と対象物の間の距離の数値に対応し、本体と対象物の間の距離の数値に対応し、
マイクロプロセッサーユニットは、距離センシング信号と傾斜角度センシング信号を持続に接収して、これらのセンシング信号によりディスプレイの表示内容を更新し、接収子と対象物の間の水平距離に対応するルバニ定規マークを即時に表示することを特徴とする。
【００１２】
本考案のレーザ距離計によると、マイクロプロセッサーユニットは、距離センシング信号によってディスプレイに実際距離マークを表示し、傾斜角度センシング信号によってディスプレイに傾斜角度マークを表示することを特徴とする。
【００１３】
本考案のレーザ距離計によると、マイクロプロセッサーユニットは、接収子と対象物の間の計算によって得られた水平距離により、ディスプレイに水平距離マークを表示することを特徴とする。
【００１４】
本考案のレーザ距離計によると、ルバニ定規マークは、スケールと、インデックスと、を含み、スケールは、その長さ方向に沿って複数のセクションが形成され、インデックスはスケールのうちの一点にポイントし、インデックスと本体との位置が相対的に一定であり、ディスプレイはタッチスクリーンであり、これにより、ユーザはディスプレイにより直接に操作でき、且つ丁蘭尺マークの関連データが表示されることを特徴とする。
【考案の効果】
【００１５】
本考案のレーザ距離計によれば、測定された距離のルバニ定規や丁蘭尺に対応する意味を即時に表示でき、ユーザは、ディスプレイに表示される内容によって、好適な距離を即時に見出すことができるという効果を有する。
【図面の簡単な説明】
【００１６】
【図１Ａ】本考案の一実施例を示す斜視図である。
【図１Ｂ】本考案の別の実施の態様を示す斜視図である。
【図１Ｃ】本考案の別の実施の態様を示す側面図である。
【図２】（Ａ）は本考案の一実施例により水平距離を測定する操作を示す模式図であり、（Ｂ）は本考案の一実施例が操作されているときのディスプレイを示す模式図である。
【図３】（Ａ）本考案の一実施例により傾斜角度を測定する操作を示す模式図であり、（Ｂ）は本考案の一実施例により傾斜角度を測定しているときのディスプレイを示す模式図であり、（Ｃ）は本考案の一実施例により実際距離を測定しているときのディスプレイを示す模式図である。
【考案を実施するための形態】
【００１７】
以下、本考案の実施の形態を図面に基づいて詳述する。
【００１８】
図１Ａ乃至図３（Ｃ）を参照する。本考案の一実施例のレーザ距離計は、本体１０と、電源供給ユニット（図示せず）と、を含む。本体１０は、図１Ａに示すように、幅方向がより広い外形にしてもいいし、図１Ｂ及び図１Ｃに示すように、長さ方向がより長い外形にしてもよい。本体１０の一側面には、操作部１１と、ディスプレイ１２と、が設けられる。操作部１１は、少なくとも一つの操作ボタンを含む。ディスプレイ１２は、本体１０の表面に固定されており、映像を表示でき、そしてタッチスクリーンであることが好ましい。これにより、ユーザはタッチスクリーンによりレーザ距離計を直接に操作できる。本体１０の他側面には、前記電源供給ユニットと電気的に連接する接収子１３が設けられる。接収子１３は、センシング方向に沿って本体１０外にある対象物にパルス信号を発射できる。前記パルス信号は、赤外線、レーザ、可視光、又はその他の何れかの光である。前記パルス信号が対象物に接触して反射された後、接収子１３は、前記パルス信号を接収して、距離センシング信号を発生する。前記距離センシング信号は、接収子１３と前記対象物の間の距離の数値に対応し、且つ本体１０と前記対象物の間の距離の数値に対応する。
【００１９】
本体１０の内部には、傾斜角度センサー１４と、マイクロプロセッサーユニット１５と、が設けられる。傾斜角度センサー１４は、センシング方向の水平傾斜角度θを測定するためのものであり、傾斜角度センシング信号を発生する。マイクロプロセッサーユニット１５は、操作部１１、ディスプレイ１２、接収子１３及び傾斜角度センサー１４と電気的に連接している。操作部の操作ボタンを押圧することにより、マイクロプロセッサーユニット１５を制御できる。マイクロプロセッサーユニット１５は、接収子１３からの距離センシング信号を接収でき、傾斜角度センサー１４からの傾斜角度センシング信号とを接収でき、前記距離センシング信号と前記傾斜角度センシング信号とによって、実際距離ｚと水平傾斜角度θとのセンシングデータを得ることができ、そして三角関数の換算によって水平距離ｘ又は垂直距離ｙのセンシングデータを得ることができ、これにより、接収子と対象物の間の水平距離ｘを算出して、水平距離ｘを変換してルバニ定規マークを得ることができる。
【００２０】
マイクロプロセッサーユニット１５は、更に、ディスプレイ１２と電気的に連接している。これにより、ディスプレイ１２がマイクロプロセッサーユニット１５に制御されて映像を表示する。ディスプレイ１２に表示する水平距離はルバニ定規マークに変換される。本考案の別の実施例では、ディスプレイ１２に表示する水平距離は丁蘭尺マークに変換される。本考案のマイクロプロセッサーユニット１５は、距離センシング信号によって、接収子と対象物の間の距離数値をディスプレイに表示でき、これは実際距離マークである。或いは、本考案のマイクロプロセッサーユニット１５は、傾斜角度センシング信号によって、センシング方向の水平傾斜角度θをディスプレイに表示でき、これは傾斜角度マークである。また、マイクロプロセッサーユニット１５は、計算によって得られた、接収子と対象物の間の水平距離を水平距離マークでディスプレイに表示できる。
【００２１】
図２（Ａ）と図２（Ｂ）を参照する。本実施例では、水平距離マーク１２１がメートル法を採用し、もちろん、ユーザの必要によってイギリス単位系又は台湾単位系を採用してもよい。ディスプレイに表示される映像の一部はルバニ定規マーク１２２である。もちろん、ルバニ定規マーク１２２の代りに丁蘭尺マークを表示してもよい。水平距離マーク及びルバニ定規マークは、距離センシング信号と傾斜角度センシング信号とによって表示され、これにより、水平距離マークはルバニ定規マークで代表する実際の寸法に対応する。本考案の別の実施例では、水平距離マークとルバニ定規マークとがそれぞれ複数セットのデータ（図示せず）を表示し、そして実際距離ｚと水平距離ｘと垂直距離ｙとのセンシングデータ及びそれに対応するルバニ定規マークを同時に表示する。
【００２２】
一方、ルバニ定規マーク１２２は映像形態で表示することが好ましい。このように、現在の距離と、現在の距離のルバニ定規に対応するルバニ定規言葉と、を同時に表示できる。具体的には、図２（Ｂ）に示すように、ルバニ定規マーク１２２は、更に、スケール１２４と、インデックス１２５と、を含む。スケール１２４は、複数セットのルバニ定規言葉を含み、その長さ方向に沿って複数のセクションが形成され、前記各セクションは、文字や他の図形を同時に表示し、インデックス１２５はスケール１２４のうちの一点にポイントし、これにより、インデックス１２５がポイントしている位置に表示するルバニ定規マーク１２２によって、ユーザは当該距離に対応するルバニ定規言葉を参考できる。インデックス１２５は固定の位置に位置し、すなわち、インデックス１２５と本体１０との位置が相対的に一定である。スケール１２４の各セクションの表示する位置が異なることにより、ルバニ定規マーク１２２は異なる指示内容を表示する。
【００２３】
このため、ユーザは、測定された位置に対応するスケール１２４が不吉な言葉を表示する場合に、スケール１２４がラッキーな言葉を表示する位置に即時に調整できる。このように、ルバニ定規及び距離計を同時に参考する必要はない。
【００２４】
また、プロセッサーユニット１５は、傾斜角度センサー１４からの傾斜角度センシング信号を接収して、前記傾斜角度センシング信号とによって、ディスプレイ１２に傾斜角度マークを表示する。傾斜角度マーク１２３は、図３（Ａ）及び図３（Ｂ）に示すように、傾斜角度の数値であり、センシング方向の水平傾斜角度θを表示する。プロセッサーユニット１５は電源供給ユニットと電気的に連接しており、前記電源供給ユニットからの電源は、プロセッサーユニット、操作部、ディスプレイ、接収子及び傾斜角度センサーに供給される。前記電源供給ユニットは、本体の外部と電気的に連接してもいいし、本体に電池を装入してもよい。また、図３（C）に示すように、本考案のディスプレイ１２に本考案のレーザ距離計と対象物の実際距離マーク１２６を表示してもよく、すなわち、ユーザは使用の目的によって図３（Ｂ）又は図３（Ｃ）に示す画面に切り替えることができる。このように、本考案のレーザ距離計と対象物の実際距離又は水平距離を即時に把握でき、そして各距離のルバニ定規に対応する意味を知ることもできる。
【００２５】
図２（Ａ）と図２（Ｂ）を参照する。接収子の実際の工作原理は、レーザ発光器（又はその他のパルス信号発射器）によって対象物（例えば壁面）にパルス信号を射出して、低騒音で高鋭敏度なレーザ接収器（又はその他のパルス信号接収器）によって対象物に反射されたパルス信号を接収することにある。
【００２６】
これにより、図３（Ａ）及び図３（Ｂ）に示すように、ユーザが操作部１１における操作ボタンを押圧すると、本体の内部に設けられる接収子１３は、対象物（例えば壁面）にパルス信号を射出して、前記対象物に反射されたパルス信号を接収して、対象物の距離及び位置を算出でき、そしてマイクロプロセッサーユニットの制御により、測定された距離がディスプレイに表示され、ディスプレイには、メートル法などの距離と、この距離のルバニ定規に対応する言葉と、が同時に表示される。
【００２７】
また、本考案のマイクロプロセッサーユニットは、傾斜角度センサーと電気的に連接しており、傾斜角度センサーによって傾斜角度センシング信号を接収して、前記距離センシング信号と前記傾斜角度センシング信号とによって、対象物と本考案のレーザ距離計の間の実際水平距離を算出でき、そして前記実際水平距離のルバニ定規に対応する言葉を知ることもでき、この実際水平距離のラッキー度を即時に判定できる。
【００２８】
また、ユーザが操作部１１を押圧して本考案のレーザ距離計を起動するときには、マイクロプロセッサーユニット１５の制御により、接収子１３と傾斜角度センサー１４とがパルス信号を間欠に射出して、接収子１３により多数セットの距離センシング信号と多数セットの傾斜角度センシング信号とが間欠に発生されて、これらの前記距離センシング信号と前記傾斜角度センシング信号とがマイクロプロセッサーユニット１５に伝送された後、ディスプレイにおける水平距離マーク１２１とルバニ定規マーク１２２と傾斜角度マーク１２３との指示内容を間欠に更新できる。例えば接収子１３と傾斜角度センサー１４とがパルス信号を０．２秒ごとに射出して、マイクロプロセッサーユニット１５が一組の距離センシング信号と一組の傾斜角度センシング信号とを０．２秒ごとに接収して、水平距離マーク１２１とルバニ定規マーク１２２と傾斜角度マーク１２３との指示内容を更新できる。このように、測定された距離のルバニ定規や丁蘭尺に対応する意味を即時に表示でき、ユーザは、ディスプレイに表示される内容によって、好適な距離を即時に調整できる。
【産業上の利用可能性】
【００２９】
本考案は、レーザ距離計に適用することができる。
【符号の説明】
【００３０】
１０：本体
１１：操作部
１２：ディスプレイ
１３：接収子
１４：傾斜角度センサー
１５：マイクロプロセッサーユニット
１２１：水平距離マーク
１２２：ルバニ定規マーク
１２３：傾斜角度マーク
１２４：スケール
１２５：インデックス
１２６：実際距離マーク
θ：水平傾斜角度
ｘ：水平距離
ｙ：垂直距離
ｚ：実際距離
【図１Ａ】
0003182515.tif 000003
【図１Ｂ】
0003182515.tif 000004
【図１Ｃ】
0003182515.tif 000005
【図２】
0003182515.tif 000006
【図３】
0003182515.tif 000007